(57)【要約】携帯電話機（２００）は、筐体（１０）と、筐体（１０）に収納され、光軸（３０ａ）を有する撮像素子（３０）と、一方端（２０ａ）と他方端（２０ｂ）とを有し、一方端（２０ａ）が筺体（１０）に回動可能に取付けられ、反射面（２０ｆ）を有する反射板（２０）とを備える。反射面（２０ｆ）が光軸（３０ａ）に交差する第１の位置に反射板（２０）が位置決めされて撮像素子（３０）が第１の領域（３０１）の映像を反射面（２０ｆ）で反射させて撮影する。第１の位置から反射板（２０）が回動して第２の位置に反射板（２０）が位置決めされて撮像素子（３０）が第１の領域（３０１）と異なる第２の領域（３０２）の映像を撮影する。
2003013127.tif 000002
【特許請求の範囲】
【請求項１】
筺体（１０）と、
前記筺体（１０）に収納され、光軸（３０ａ）を有する撮像素子（３０）と、
一方端（２０ａ）と他方端（２０ｂ）とを有し、前記一方端（２０ａ）が前記筐体（１０）に回動可能に取付けられ、反射面（２０ｆ）を有する反射板（２０）とを備え、
前記反射面（２０ｆ）が前記光軸（３０ａ）に交差する第１の位置に前記反射板（２０）が位置決めされて前記撮像素子（３０）が第１の領域（３０１）の映像を前記反射面（２０ｆ）で反射させて撮影し、
前記第１の位置から前記反射板（２０）が回動して第２の位置に前記反射板（２０）が位置決めされて前記撮像素子（３０）が第１の領域（３０１）と異なる第２の領域（３０２）の映像を撮影する、携帯端末。
【請求項２】
前記第１の位置に前記反射板（２０）が位置決めされているとき前記反射面（２０ｆ）は前記光軸（３０ａ）に交差し、前記第２の位置に前記反射板（２０）が位置決めされているとき前記反射面（２０ｆ）は前記光軸（３０ａ）に交差しない、請求項１に記載の携帯端末。
【請求項３】
前記第１の位置に前記反射板（２０）が位置決めされているとき前記反射面（２０ｆ）は前記光軸（３０ａ）に交差し、前記第２の位置に前記反射板（２０）が位置決めされているとき前記反射面（２０ｆ）は前記光軸（３０ａ）に交差する、請求項１に記載の携帯端末。
【請求項４】
前記撮像素子（３０）と前記反射板（２０）の間に位置するように前記筺体（１０）に取付けられて前記撮像素子（３０）を前記筐体（１０）内に密閉する透明部材（４０）をさらに備えた、請求項１に記載の携帯端末。
【請求項５】
前記反射板（２０）の一方端（２０ａ）に接触して前記反射板（２０）を第１の位置と第２の位置とに位置決めする位置決め部（８０）をさらに備えた、請求項１に記載の携帯端末。
【請求項６】
前記反射板（２０）は前記反射面（２０ｆ）が前記光軸（３０ａ）にほぼ直交する第３の位置に位置決めされることが可能である、請求項１に記載の携帯端末。
【請求項７】
前記反射面は凸面（２０ｔ）を含む、請求項１に記載の携帯端末。
【請求項８】
前記反射面は凹面（２０ｕ）を含む、請求項１に記載の携帯端末。
【発明の詳細な説明】
技術分野
この発明は、携帯端末に関し、特に撮像素子を備えた携帯端末に関するものである。
背景技術
近年、撮像素子を備えた携帯端末が開発されている。このような携帯端末において、２つの領域の情報を撮像することが可能な技術が開発されている。特開平１１−１１００７８号公報には、２つの領域の映像を撮影することが可能な携帯型操作機器が開示されている。図５０および図５１は、上記公報に開示された、従来の携帯型操作機器の斜視図である。図５０を参照して携帯型操作機器４０１の上部には、スライドカバー４０７が左右に移動可能なように配置されている。スライドカバー４０７の正面側および平面側には、透明カバーにより被覆された開口部４０７ａおよび４０７ｂが形成されている。携帯型操作機器４０１の内部においてスライドカバー４０７に対向する部分には、ＣＣＤ（Ｃｈａｒｇｅ−Ｃｏｕｐｌｅｄ  Ｄｅｖｉｃｅ）などの撮像部を備えたカメラ４０６が固定されている。カメラ４０６の光軸方向は、携帯型操作機器４０１の正面に対向する方向に平行である。
スライドカバー４０７は、ミラー４０８を備える。ミラー４０８は、開口部４０７ａおよび４０７ｂに対して傾斜している。図５０で示す位置にスライドカバー４０７があるとき、カメラ４０６の光軸方向に開口部４０７ａが位置している。カメラ４０６は携帯型操作機器４０１の正面に対向する方向の外部の光を受光する。
スライドカバー４０７が右方向に移動して図５１で示すように位置すると、ミラー４０８がカメラ４０６に対向する。カメラ４０６は開口部４０７ｂからミラー４０８を介して携帯型操作機器４０１の平面に対向する方向の外部光を受光する。
しかしながら、上記公報に開示された技術では、スライドカバー４０７をスライドさせる必要があるため、携帯型操作機器４０１が大型化するという問題があった。
また、本発明者は、第１の撮像光学系と、第２の撮像光学系とを備え、２つの撮像系のいずれか一方により撮像を行なう撮像装置を特願平１２−２０５４０９号で出願している。この撮像装置では、第１および第２の撮像光学系が保持部材によって保持され、保持部材を第１の位置と第２の位置とのいずれかに位置決めすることで第１の撮像光学系または第２の撮像光学系のいずれかにより撮像を行なう。
しかしながら、本発明者が提案する撮像装置でも、２つの撮像光学系が必要となるため、撮像装置が大型化するという問題があった。
そこで、この発明は上述のような問題点を解決するためになされたものであり、小型化が可能な携帯端末を提供することを目的とするものである。
発明の開示
この発明に従った携帯端末は、筐体と、筐体に収納され、光軸を有する撮像素子と、一方端と他方端とを有し、一方端が筐体に回動可能に取付けられ、反射面を有する反射板とを備える。反射面が光軸に交差する第１の位置に反射板が位置決めされて撮像素子が第１の領域の映像を反射面で反射させて撮影する。第１の位置から反射板が回動して第２の位置に反射板が位置決めされて撮像素子が第１の領域と異なる第２の領域の映像を撮影する。
このように構成された携帯端末では、第１の位置に反射板を位置決めして第１の領域の映像を反射面で反射させて撮影し、第１の位置から反射板を回動させて第２の位置に位置決めすることにより、第２の領域の映像を撮影する。このように反射板を回動させることにより、反射板を第１の位置と第２の位置とに位置決めするため、スライド部材を設ける場合に比べて携帯端末を小型化することができる。さらに、反射板を回動させることにより１つの撮像素子で２つの領域の映像を撮影するため２つの撮像光学系を必要としない。その結果、携帯端末を小型化することができる。
また好ましくは、第１の位置に反射板が位置決めされているとき反射面は光軸に交差し、第２の位置に反射板が位置決めされているとき反射面は光軸に交差しない。
また好ましくは、第１の位置に反射板が位置決めされているとき反射面は光軸に交差し、第２の位置に反射板が位置決めされているとき反射面は光軸に交差する。
また好ましくは、撮像素子と反射板との間に位置するように筺体に取付けられて撮像素子を筐体内に密閉する透明部材を携帯端末はさらに備える。この場合、筐体内に撮像素子が密閉されるため、撮像素子に埃または水滴などが付着することを防止することができる。
また好ましくは、携帯端末は、反射板の一方端に接触して反射板を第１の位置と第２の位置とに位置決めする位置決め部をさらに備える。
また好ましくは、反射板は、反射面が光軸にほぼ直交する第３の位置に位置決めされることが可能である。
また好ましくは、反射面は凸面を含む。この場合、広い領域の映像を凸面で反射させて撮像素子が撮影することができる。
また好ましくは、反射面は凹面を含む。この場合、被写体の一部分を凹面で拡大して反射させて撮像素子が撮影することができる。
発明を実施するための最良の形態
（実施の形態１）
図１は、この発明の実施の形態１に従った携帯電話機の斜視図であって、閉じた反射板を説明するための斜視図である。図２は、この発明の実施の形態１に従った携帯電話機の正面であって、閉じた反射板を説明するための正面図である。図１および図２を参照して、携帯端末としての携帯電話機２００は、筐体１０を有する。筺体１０は、フロントケース１１とリヤケース１２とにより構成され、フロントケース１１がリヤケース１２に接合されて筐体１０が構成される。
筺体１０は、主表面１０ｆと、頂面１０ｔと、側面１０ｓとを有する。主表面１０ｆは、ほぼ長方形状であり、主表面１０ｆには、窓７０が設けられる。窓７０は、透明な部材により構成され、窓７０の奥側には、液晶ディスプレイが配置される。使用者は、窓７０を介して、液晶ディスプレイに表示された文字情報などを視認することができる。
主表面１０ｆには、複数の押しボタン５０が設けられている。押しボタン５０は、人が手で押して情報を入力するための部材であり、押しボタン５０を押して入力した情報は、通常液晶ディスプレイ（図示せず）で表示するため、この情報を窓７０から視認することができる。なお、押しボタン５０の他に、多機能スイッチが設けられてもよい。
頂面１０ｔには、アンテナ１６０が設けられる。アンテナ１６０は図１および図２で示すように携帯電話機２００の筐体１０に大部分が収納された状態と、大部分が携帯電話機２００の筐体１０から突出した状態の２つの位置に位置決めされる。頂面１０ｔには、反射板２０が取付けられる。
図３は、図２中のＩＩＩ−ＩＩＩ線に沿って見た断面図である。図３を参照して、筺体１０のフロントケース１１およびリヤケース１２で囲まれた空間に基板６０が位置決めされている。基板６０上には、さまざまな電子機器が載置されて電子回路を構成している。基板６０の端部には撮像素子３０が載置されている。撮像素子３０は、ＣＣＤまたはＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）により構成される。筐体１０では、フロントケース１１とリヤケース１２とが重ね合わされて開口１０ｈが形成されている。開口１０ｈには保護窓４０が嵌め合わされる。保護窓４０は透明の部材からなり、撮像素子３０を筐体１０内の空間に密閉する。
保護窓４０を覆うように筐体１０に反射板２０が取付けられる。反射板２０は筐体１０の頂面１０ｔ側に取付けられる。反射板２０は一方端２０ａと他方端２０ｂとを有する。さらに、反射板２０は、光を反射させる反射面２０ｆを有する。
フロントケース１１には、開口１１ｈが設けられる。開口１１ｈを封止するように窓７０が設けられる。さらに、フロントケース１１には、複数個の押しボタン５０が配置される。
図４は、図３中の反射板を拡大して示す断面図である。図４を参照して、反射板２０は、一方端２０ａと他方端２０ｂとを有する。一方端２０ａは円柱形状であり、筐体１０に回動可能に取付けられる。一方端２０ａの外周部には、３つの凹部２０ｅ、２０ｈおよび２０ｇが設けられる。それぞれの凹部２０ｅ、２０ｈおよび２０ｇは、突出形状の板ばね８０を受入れるような形状となっている。凹部２０ｅ、２０ｈおよび２０ｇは、一方端２０ａの外周面でほぼ等間隔に位置するが、不均等な間隔でこれらの凹部２０ｅ、２０ｈおよび２０ｇを設けてもよい。
板ばね８０は、筺体１０のリヤケース１２に固定される。板ばね８０は可撓性を有し、凹部２０ｅ、２０ｈおよび２０ｇに嵌り合い、これらの凹部２０ｅ、２０ｈおよび２０ｇを、回動の中心方向に付勢する。なお、板ばね８０は、凹部２０ｅ、２０ｈおよび２０ｇが回動しないようにこれらの凹部２０ｅ、２０ｈおよび２０ｇを留めることができるものであればよく、たとえば凹部２０ｅ、２０ｈおよび２０ｇに噛み合う爪のようなものとしてもよい。
反射板２０は、反射面２０ｆを有する。反射面２０ｆでは、光の反射率が、吸収率および透過率よりも大きく、反射面２０ｆは、たとえば鏡面加工により構成される。また、銀などをめっきしてもよい。反射面２０ｆは、曲率を有さない平坦な面により構成される。
反射板２０が回動することにより、第１の領域３０１に存在する第１の被写体３０１ａと、第２の領域３０２に存在する第２の被写体３０２ａとを撮影することができる。
図５は、この発明の実施の形態１に従った携帯電話機の斜視図であって、第１の位置に位置決めされた反射板を説明するための斜視図である。図６は、、この発明の実施の形態１に従った携帯電話機の正面図であって、第１の位置に位置決めされた反射板を説明するための正面図である。図５および図６を参照して、反射板２０は、図４で示す状態から回動することにより、反射板２０で覆われていた保護窓４０が現れる。保護窓４０は円板形状であり、筐体１０に埋込まれている。反射板２０と保護窓４０との距離は、図４に比べて大きくなっている。保護窓４０と向かい合うように反射面２０ｆが位置する。
図７は、図６中のＶＩＩ−ＶＩＩ線に沿って見た断面図である。図７を参照して、図４で示す位置から反射板２０が一方端２０ａを中心として頂面１０ｔから遠ざかる方向へ約４５°回動すると、図７で示す第１の位置に反射板２０が位置決めされる。反射板２０の反射面２０ｆは、外部からの光を反射して撮像素子３０へ光を到達させる。これにより、撮像素子３０は外部の映像を撮影することができる。
図８は、図７中の反射板を拡大して示す断面図である。図８を参照して、第１の位置では、反射板２０の一方端２０ａに設けられた凹部２０ｅ、２０ｈおよび２０ｇのうち、凹部２０ｈが板ばね８０に嵌り合っている。これにより、図４で示す状態から、反射板２０は一方端２０ａを中心として約４５°回動した位置に位置決めされる。撮像素子３０の光軸３０ａは反射板２０の反射面２０ｆと交差し、反射面２０ｆ上で反射する。これにより、第１の領域３０１に位置する第１の被写体３０１ａの映像が反射面２０ｆで反射して撮像素子３０に到達する。そのため、撮像素子３０は、第１の被写体３０１ａの映像を撮影することができる。なお、保護窓４０は透明であるため、第１の被写体３０１ａの映像は保護窓４０に遮られることなく、撮像素子３０により撮影される。
図９は、この発明の実施の形態１に従った携帯電話機の斜視図であって、第２の位置に位置決めされた反射板を説明するための斜視図である。図１０は、この発明の実施の形態１に従った携帯電話機の正面図であって、第２の位置に位置決めされた反射板を説明するための正面図である。図９および図１０を参照して、図８で示す位置から反射板２０がほぼ４５°回動すると図９および図１０で示すように、反射板２０は、頂面１０ｔに対してほぼ直交して延びるように位置決めされる。図９および図１０では、反射板２０は、第２の位置に位置決めされている。他方端２０ｂと頂面１０ｔとの距離は、図８で示す第１の位置に比べて大きくなっている。反射面２０ｆと主表面１０ｆとはほぼ平行に延びている。
図１１は、図１０中のＸＩ−ＸＩ線に沿って見た断面図である。図１１を参照して、反射板２０が第２の位置に位置決めされているときには、主表面１０ｆと反射面２０ｆとはほぼ平行となる。保護窓４０は反射板２０で覆われないため、撮像素子３０は、筺体１０の長手方向に存在する被写体を撮影することができる。
図１２は、図１１中の反射板を拡大して示す断面図である。図１２を参照して、反射板２０が第２の位置に位置決めされているときには、一方端２０ａに設けられた凹部２０ｇが板ばね８０に嵌り合う。反射板２０は、頂面１０ｔに対して直立するように位置決めされる。反射板２０の他方端２０ｂは頂面１０ｔから最も離れた位置に位置決めされる。撮像素子３０の光軸３０ａは反射板２０の反射面２０ｆとほぼ平行に延びる。撮像素子３０は、第２の領域３０２に存在する第２の被写体３０２ａを撮影することが可能である。なお、光軸３０ａは基板６０の延びる方向とほぼ平行に延びる。光軸３０ａは反射面２０ｆとは交差せず、反射面２０ｆで反射されていない第２の被写体３０２ａの映像を撮像素子３０が撮影することができる。
上述のような携帯端末としての携帯電話機２００は、筐体１０と、筐体１０に収納され、光軸３０ａを有する撮像素子３０と、一方端２０ａと他方端２０ｂとを有し、一方端２０ａが筐体１０に回動可能に取付けられ、反射面２０ｆを有する反射板２０とを備える。反射面２０ｆが光軸３０ａに交差する第１の位置（図８）に反射板２０が位置決めされて撮像素子３０が第１の領域３０１の映像を反射面２０ｆで反射させて撮影する。第１の位置から反射板２０が回動して第２の位置（図１２）に反射板２０が位置決めされて撮像素子３０が第１の領域３０１と異なる第２の領域３０２の映像を撮影する。
第１の位置に反射板２０が位置決めされているとき反射面２０ｆは光軸３０ａに交差し、第２の位置に反射板２０が位置決めされているとき反射面２０ｆは光軸３０ａに交差しない。
携帯電話機２００では、反射板２０は、反射面２０ｆが光軸３０ａにほぼ直交する第３の位置（図４）に位置決めされることが可能である。
このように構成された携帯電話機２００では、一方端２０ａを中心として反射板２０を所定の位置まで回動させることにより、第１の領域３０１の第１の被写体３０１ａと、第２の領域３０２の第２の被写体３０２ａとを撮影することができる。そのため、カメラをスライドさせる場合または２つの光学系を有する従来の装置に比べて、携帯電話機２００を小型化および軽量化することができるという効果がある。
さらに、携帯電話機２００は、撮像素子３０と反射板２０との間に位置するように筺体１０に取付けられて、撮像素子３０を筐体１０内に密閉する透明部材としての保護窓４０をさらに備える。この保護窓４０が存在することにより、外部からの水滴または埃が撮像素子３０に付着することがないため鮮明な画像を撮影することができる。さらに、撮像素子３０の故障をも未然に防止することができる。
また携帯電話機２００は、反射板２０の一方端２０ａに接触して反射板２０を第１の位置と第２の位置とに位置決めする位置決め部としての板ばね８０をさらに備える。この板ばね８０により、反射板２０を確実に第１および第２の位置に位置決めすることができ、装置の信頼性が向上する。
（実施の形態２）
図１３は、この発明の実施の形態２に従った携帯電話機の斜視図であって、閉じた反射板を説明するための斜視図である。図１４は、この発明の実施の形態２に従った携帯電話機の正面図であって、閉じた反射板を説明するための正面図である。図１３および図１４を参照して、この発明の実施の形態２に従った携帯電話機では、主表面１０ｆに反射板２０が設けられている点で、実施の形態１に従った携帯電話機２００と異なる。反射板２０の一方端２０ａは窓７０側に回動可能に取付けられる。他方端２０ｂは、頂面１０ｔ側に配置される。なお、頂面１０ｔには、アンテナ１６０が設けられるだけで、反射板は設けられない。
図１５は、図１４中のＸＶ−ＸＶ線に沿って見た断面図である。図１５を参照して、筐体１０の内部に基板６０が配置されている。基板６０は、実施の形態１よりも、リヤケース１２側に配置されている。基板６０上には撮像素子３０が固定されている。撮像素子３０は基板の最も広い面上に配置される。さらに、基板６０の最も広い面の法線方向と、撮像素子３０の光軸とがほぼ平行となる。フロントケース１１には、保護窓４０が嵌め合わされる。保護窓４０により、撮像素子３０は筐体１０内に密閉される。保護窓４０は、撮像素子３０と反射板２０との間に設けられる。反射板２０の一方端２０ａがフロントケース１１に回動可能に取付けられている。
図１６は、図１５中の反射板を拡大して示す断面図である。図１６を参照して、基板６０上に撮像素子３０が固定されている。撮像素子３０のうち、レンズが設けられるドーム形状の部分が開口１０ｈに向かい合うように位置している。開口１０ｈに嵌り合うように保護窓４０が設けられる。保護窓４０はガラスなどの透明の部材により形成される。保護窓４０横では、フロントケース１１に板ばね８０が設けられる。板ばね８０は弾性を有し、所定の方向に撓むことが可能である。
反射板２０は、反射面２０ｆを有する。反射面２０ｆは、保護窓４０と向かい合う。反射面２０ｆは、鏡面研磨または銀めっきなどにより構成され、その表面での光の反射率が、吸収率および透過率よりも大きくなっている。反射板２０は一方端２０ａと他方端２０ｂとを有し、一方端２０ａの外周面には、凹部２０ｅ、２０ｈおよび２０ｇが形成されている。凹部２０ｅ、２０ｈおよび２０ｇは、ほぼ等間隔に配置され、それぞれの凹部２０ｅ、２０ｈおよび２０ｇは板ばね８０と嵌り合う。
図１７は、この発明の実施の形態２に従った携帯電話機の斜視図であって、第１の位置に位置決めされた反射板を説明するための斜視図である。図１８は、この発明の実施の形態２に従った携帯電話機の正面図であって、第１の位置に位置決めされた反射板を説明するための正面図である。図１７および図１８を参照して、反射板２０は、図１５で示す状態から回動することにより、反射板２０で覆われていた保護窓４０が現れる。保護窓４０は円板形状であり、筺体１０に埋込まれている。保護窓４０と向かい合うように反射面２０ｆが位置する。
図１９は、図１８中のＸＩＸ−ＸＩＸ線に沿って見た断面図である。図１９を参照して、図１６で示す位置から反射板２０が一方端２０ａを中心として頂面１０ｔから遠ざかる方向へ約４５°回動すると、図１９で示す第１の位置に反射板２０が位置決めされる。反射板２０の反射面２０ｆは、外部からの光を反射して撮像素子３０へ光を到達させる。これにより、撮像素子３０は外部の映像を撮影することができる。
図２０は、図１９中の反射板を拡大して示す断面図である。図２０を参照して、第１の位置では、反射板２０の一方端２０ａに設けられた凹部２０ｅ、２０ｈおよび２０ｇのうち、凹部２０ｈが板ばね８０に嵌り合っている。これにより、図１６で示す状態から、反射板２０は一方端２０ａを中心として約４５°回動した位置に位置決めされる。撮像素子３０の光軸３０ａは反射板２０の反射面２０ｆと交差し、反射面２０ｆ上で反射する。これにより、第１の領域３０１に位置する第１の被写体３０１ａの映像が反射面２０ｆで反射して撮像素子３０に到達する。そのため、撮像素子３０は、第１の被写体３０１ａの映像を撮影することができる。なお、保護窓４０は透明であるため、第１の被写体３０１ａの映像は保護窓４０に遮られることなく、撮像素子３０により撮影される。
図２１は、この発明の実施の形態２に従った携帯電話機の斜視図であって、第２の位置に位置決めされた反射板を説明するための斜視図である。図２２は、この発明の実施の形態２に従った携帯電話機の正面図であって、第２の位置に位置決めされた反射板を説明するための正面図である。図２１および図２２を参照して、図２０で示す位置から反射板２０がほぼ４５°回動すると図２１および図２２で示すように、反射板２０は、主表面１０ｆに対してほぼ直交して延びるように位置決めされる。図２１および図２２では、反射板２０は、第２の位置に位置決めされている。反射面２０ｆと主表面１０ｆとはほぼ直交するように延びている。
図２３は、図２２中のＸＸＩＩＩ−ＸＸＩＩＩ線に沿って見た断面図である。図２３を参照して、反射板２０が第２の位置に位置決めされているときには、主表面１０ｆと反射面２０ｆとはほぼ直交する。保護窓４０は反射板２０で覆われないため、撮像素子３０は、筐体１０の長手方向と直交する方向に存在する被写体を撮影することができる。
図２４は、図２３中の反射板を拡大して示す断面図である。図２４を参照して、反射板２０が第２の位置に位置決めされているときには、一方端２０ａに設けられた凹部２０ｇが板ばね８０に嵌り合う。反射板２０は、主表面１０ｆに対して直立するように位置決めされる。反射板２０の他方端２０ｂは頂面１０ｔから最も離れた位置に位置決めされる。撮像素子３０の光軸３０ａは反射板２０の反射面２０ｆとほぼ平行に延びる。撮像素子３０は、第２の領域３０２に存在する第２の被写体３０２ａを撮影することが可能である。なお、光軸３０ａは基板６０の法線方向とほぼ平行に延びる。光軸３０ａは反射面２０ｆとは交差せず、反射面２０ｆで反射されていない第２の被写体３０２ａの映像を撮像素子３０が撮影することができる。
このように構成された、この発明の実施の形態２に従った携帯電話機２００では、実施の形態１に従った携帯電話機２００と同様の効果がある。
（実施の形態３）
図２５は、この発明の実施の形態３に従った携帯電話機の斜視図であって、閉じた反射板を説明するための斜視図である。図２６は、この発明の実施の形態３に従った携帯電話機の正面図であって、閉じた反射板を説明するための正面図である。図２７は、図２６中のＸＸＶＩＩ−ＸＸＶＩＩ線に沿って見た断面図である。図２５から図２７を参照して、この発明の実施の形態３に従った携帯電話機２００では、反射板２０の反射面２０ｆが凸面２０ｔを含む点で、実施の形態１に従った携帯電話機と異なる。凸面２０ｔは円弧形状であり、最も突出した部分であっても、保護窓４０とは接触しない。凸面２０ｔも、鏡面加工または銀めっきされ、反射率が、透過率および吸収率に比べて大きくなっている。
図２８は、図２７で示す反射板を拡大して示す断面図である。図２８を参照して、反射板２０の反射面２０ｆは凸面２０ｔを有する。凸面２０ｔは、円弧形状であり、その曲率中心は、撮像素子３０の光軸上に存在する。凸面２０ｔは反射面２０ｆから突出し、保護窓４０と向かい合うように配置される。
図２９は、この発明の実施の形態３に従った携帯電話機の斜視図であって、第１の位置に位置決めされた反射板を説明するための斜視図である。図３０は、この発明の実施の形態３に従った携帯電話機の正面図であって、第１の位置に位置決めされた反射板を説明するための正面図である。図２９および３０を参照して、反射板２０は、図２８で示す状態から回動することにより、反射板２０で覆われていた保護窓４０が現れる。保護窓４０は円板形状であり、筐体１０に埋込まれている。保護窓４０と向かい合うように反射面２０ｆが位置する。
図３１は、図３０中のＸＸＸＩ−ＸＸＸＩ線に沿って見た断面図である。図３１を参照して、図２８で示す位置から反射板２０が一方端２０ａを中心として頂面１０ｔから遠ざかる方向へ約４５°回動すると、図３１で示す第１の位置に反射板２０が位置決めされる。反射板２０の反射面２０ｆは、外部からの光を反射して撮像素子３０へ光を到達させる。これにより、撮像素子３０は外部の映像を撮影することができる。反射面２０ｆは凸面２０ｔを有する。
図３２は、図３１中の反射板を拡大して示す断面図である。図３２を参照して、第１の位置では、反射板２０の一方端２０ａに設けられた凹部２０ｅ、２０ｈおよび２０ｇのうち、凹部２０ｈが板ばね８０に嵌り合っている。これにより、図２８で示す状態から、反射板２０は一方端２０ａを中心として約４５°回動した位置に位置決めされる。撮像素子３０の光軸３０ａは反射板２０の反射面２０ｆと交差し、反射面２０ｆの凸面２０ｔ上で反射する。これにより、第１の領域３０１に位置する第１の被写体３０１ａの映像が反射面２０ｆで反射して撮像素子３０に到達する。そのため、撮像素子３０は、第１の被写体３０１ａの映像を撮影することができる。なお、保護窓４０は透明であるため、第１の被写体３０１ａの映像は保護窓４０に遮られることなく、撮像素子３０により撮影される。
反射面２０ｆは凸面２０ｔを有するため、広い領域の映像を反射させて撮像素子３０で撮影することができる。すなわち、第１の領域３０１だけでなく、その周辺に存在する被写体をも広い範囲で撮影することができる。
図３３は、この発明の実施の形態３に従った携帯電話機の斜視図であって、第２の位置に位置決めされた反射板を説明するための斜視図である。図３４は、この発明の実施の形態３に従った携帯電話機の正面図であって、第２の位置に位置決めされた反射板を説明するための正面図である。図３３および図３４を参照して、図３２で示す位置から反射板２０がほぼ４５°回動すると図３３および図３４で示すように、反射板２０は、頂面１０ｔに対してほぼ直交して延びるように位置決めされる。図３３および図３４では、反射板２０は、第２の位置に位置決めされている。他方端２０ｂと頂面１０ｔとの距離は、図３２で示す第１の位置に比べて大きくなっている。反射面２０ｆと主表面１０ｆとはほぼ平行に延びている。
図３５は、図３４中のＸＸＸＶ−ＸＸＸＶ線に沿って見た断面図である。図３５を参照して、反射板２０が第２の位置に位置決めされているときには、主表面１０ｆと反射面２０ｆとはほぼ平行となる。保護窓４０は反射板２０で覆われないため、撮像素子３０は、筐体１０の長手方向に存在する被写体を撮影することができる。なお、図３５では、凸面２０ｔが機能しない。
図３６は、図３５中の反射板を拡大して示す断面図である。図３６を参照して、反射板２０が第２の位置に位置決めされているときには、一方端２０ａに設けられた凹部２０ｇが板ばね８０に嵌り合う。反射板２０は、頂面１０ｔに対して直立するように位置決めされる。反射板２０の他方端２０ｂは頂面１０ｔから最も離れた位置に位置決めされる。撮像素子３０の光軸３０ａは反射板２０の反射面２０ｆとほぼ平行に延びる。撮像素子３０は、第２の領域３０２に存在する第２の被写体３０２ａを撮影することが可能である。なお、光軸３０ａは基板６０の延びる方向とほぼ平行に延びる。光軸３０ａは反射面２０ｆとは交差せず、反射面２０ｆで反射されていない第２の被写体３０２ａの映像を撮像素子３０が撮影することができる。なお、反射面２０ｆの凸面２０ｔで光は反射しないため、図３２で示した第１の位置に位置決めされている場合に比べて、広い範囲の映像を撮影することはできない。
このように構成された、この発明の実施の形態３に従った携帯電話機では、まず実施の形態１に従った携帯電話機と同様の効果がある。さらに、反射面２０ｆが凸面２０ｔを有するため、広い領域の画像を撮像素子３０で撮影することができるという効果がある。
（実施の形態４）
図３７は、この発明の実施の形態４に従った携帯電話機の斜視図であって、閉じた反射板を説明するための斜視図である。図３８は、この発明の実施の形態４に従った携帯電話機の正面図であって、閉じた反射板を説明するための正面図である。図３７および図３８を参照して、この発明の実施の形態４に従った携帯電話機では、主表面１０ｆに反射板２０が設けられている点で、実施の形態３に従った携帯電話機２００と異なる。反射板２０の一方端２０ａは窓７０側に回動可能に取付けられる。他方端２０ｂは、頂面１０ｔ側に配置される。なお、頂面１０ｔには、アンテナ１６０が設けられるだけで、反射板は設けられない。
図３９は、図３８中のＸＸＸＩＸ−ＸＸＸＩＸ線に沿って見た断面図である。図３９を参照して、反射板２０の反射面２０ｆは、凹面２０ｕを有する。凹面２０ｕは、ほぼ円弧状であり、その中央部で、保護窓４０から最も離れるように構成される。すなわち、中央部では、反射板２０の厚みが薄くなり、一方端２０ａまたは他方端２０ｂに近づくにつれて、反射板２０の厚みが厚くなる。
図４０は、図３９中の反射板を拡大して示す断面図である。図４０を参照して、反射板２０の反射面２０ｆに凹面２０ｕが形成されている点で、図１６で示す実施の形態２に従った反射板２０と異なる。凹面２０ｕの曲率中心は、撮像素子３０の光軸上に位置し、凹面２０ｕは、なだらかな円弧状に形成される。なお、図４０では、断面であるため凹面２０ｕは円弧状に記載されているが、実際には、凹面２０ｕは球面状であり、三次元的な広がりを有する。
図４１は、この発明の実施の形態４に従った携帯電話機の斜視図であって、第１の位置に位置決めされた反射板を説明するための斜視図である。図４２は、この発明の実施の形態４に従った携帯電話機の正面図であって、第１の位置に位置決めされた反射板を説明するための正面図である。図４１および図４２を参照して、反射板２０は、図４０で示す状態から回動することにより、反射板２０で覆われていた保護窓４０が現れる。保護窓４０は円板形状であり、筺体１０に埋込まれている。保護窓４０と向かい合うように反射面２０ｆが位置する。
図４３は、図４２中のＸＬＩＩＩ−ＸＬＩＩＩ線に沿って見た断面図である。図４３を参照して、図４０で示す位置から反射板２０が一方端２０ａを中心として頂面１０ｔから遠ざかる方向へ約４５°回動すると、図４３で示す第１の位置に反射板２０が位置決めされる。反射板２０の反射面２０ｆは、外部からの光を反射して撮像素子３０へ光を到達させる。これにより、撮像素子３０は外部の映像を撮影することができる。反射板２０の反射面２０ｆに凹面２０ｕが設けられている。
図４４は、図４３中の反射板を拡大して示す断面図である。図４４を参照して、第１の位置では、反射板２０の一方端２０ａに設けられた凹部２０ｅ、２０ｈおよび２０ｇのうち、凹部２０ｈが板ばね８０に嵌り合っている。これにより、図４０で示す状態から、反射板２０は一方端２０ａを中心として約４５°回動した位置に位置決めされる。撮像素子３０の光軸３０ａは反射板２０の反射面２０ｆと交差し、反射面２０ｆ上で反射する。これにより、第１の領域３０１に位置する第１の被写体３０１ａの映像が反射面２０ｆで反射して撮像素子３０に到達する。そのため、撮像素子３０は、第１の被写体３０１ａの映像を撮影することができる。なお、保護窓４０は透明であるため、第１の被写体３０１ａの映像は保護窓４０に遮られることなく、撮像素子３０により撮影される。光は凹面２０ｕで反射して撮像素子３０へ届くため、第１の被写体３０１ａの一部分を拡大して撮影することとなる。すなわち、撮影範囲は狭まるが、小さい部分を拡大して撮影することができる。
図４５は、この発明の実施の形態４に従った携帯電話機の斜視図であって、第２の位置に位置決めされた反射板を説明するための斜視図である。図４６は、この発明の実施の形態４に従った携帯電話機の正面図であって、第２の位置に位置決めされた反射板を説明するための正面図である。図４５および図４６を参照して、図４４で示す位置から反射板２０がほぼ４５°回動すると図４５および図４６で示すように、反射板２０は、主表面１０ｆに対してほぼ直交して延びるように位置決めされる。図４５および図４６では、反射板２０は、第２の位置に位置決めされている。反射面２０ｆと主表面１０ｆとはほぼ直交するように延びている。
図４７は、図４６中のＸＬＶＩＩ−ＸＬＶＩＩ線に沿って見た断面図である。図４７を参照して、反射板２０が第２の位置に位置決めされているときには、主表面１０ｆと反射面２０ｆとはほぼ直交する。保護窓４０は反射板２０で覆われないため、撮像素子３０は、筐体１０の長手方向と直交する方向に存在する被写体を撮影することができる。
図４８は、図４７中の反射板を拡大して示す断面図である。図４８を参照して、反射板２０が第２の位置に位置決めされているときには、一方端２０ａに設けられた凹部２０ｇが板ばね８０に嵌り合う。反射板２０は、主表面１０ｆに対して直立するように位置決めされる。反射板２０の他方端２０ｂは頂面１０ｔから最も離れた位置に位置決めされる。撮像素子３０の光軸３０ａは反射板２０の反射面２０ｆとほぼ平行に延びる。撮像素子３０は、第２の領域３０２に存在する第２の被写体３０２ａを撮影することが可能である。なお、光軸３０ａは基板６０の法線方向とほぼ平行に延びる。光軸３０ａは反射面２０ｆとは交差せず、反射面２０ｆで反射されていない第２の被写体３０２ａの映像を撮像素子３０が撮影することができる。なお、図４８で示す状態では、凹面２０ｕで光は反射しないため、一部分を拡大して示すという作用がない。
このように構成された、この発明の実施の形態４に従った携帯電話機では、実施の形態２に従った携帯電話機と同様の効果がある。さらに、凹面２０ｕで光を反射させることにより、被写体の一部分を拡大して撮影することができる。
（実施の形態５）
図４９は、この発明の実施の形態５に従った携帯電話機の断面図である。図４９を参照して、この発明の実施の形態５に従った携帯電話機２００では、図４９で示すように、反射板２０が第２の位置に位置決めされている場合に、光軸３０ａが反射面２０ｆと交差する点で、実施の形態１に従った携帯電話機と異なる。すなわち、第１の位置に反射板２０が位置決めされているとき反射面２０ｆは光軸３０ａに交差し、第２の位置に反射板２０が位置決めされているとき反射面２０ｆは光軸３０ａに交差する。これにより、第２の領域３０２に存在する第２の被写体３０２ａを撮影することができる。なお、第２の位置に反射板２０を位置決めするために、凹部２０ｇの位置が、実施の形態１の携帯電話機２００と異なる。
このように構成されたこの発明の実施の形態５に従った携帯電話機でも、実施の形態１に従った携帯電話機と同様の効果がある。以上、この発明の実施の形態について説明したが、ここで示した実施の形態はさまざまに変形することが可能である。まず、図４９で示すように、第２の位置に位置する反射板の反射面２０ｆが光軸３０ａと交差するような機構を、実施の形態２から４の携帯電話機に組込んでもよい。さらに、反射板２０は、第１の位置と第２の位置に位置決めされるものを示したが、これに限られず、光軸を交差するさまざまな位置で反射板２０を位置決めしてもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
産業上の利用可能性
この発明は、携帯電話機の分野で用いることができる。
【図面の簡単な説明】
図１は、この発明の実施の形態１に従った携帯電話機の斜視図であって、閉じた反射板を説明するための斜視図である。
図２は、この発明の実施の形態１に従った携帯電話機の正面図であって、閉じた反射板を説明するための正面図である。
図３は、図２中のＩＩＩ−ＩＩＩ線に沿って見た断面図である。
図４は、図３中の反射板を拡大して示す断面図である。
図５は、この発明の実施の形態１に従った携帯電話機の斜視図であって、第１の位置に位置決めされた反射板を説明するための斜視図である。
図６は、この発明の実施の形態１に従った携帯電話機の正面図であって、第１の位置に位置決めされた反射板を説明するための正面図である。
図７は、図６中のＶＩＩ−ＶＩＩ線に沿って見た断面図である。
図８は、図７中の反射板を拡大して示す断面図である。
図９は、この発明の実施の形態１に従った携帯電話機の斜視図であって、第２の位置に位置決めされた反射板を説明するための斜視図である。
図１０は、この発明の実施の形態１に従った携帯電話機の正面図であって、第２の位置に位置決めされた反射板を説明するための正面図である。
図１１は、図１０中のＸＩ−ＸＩ線に沿って見た断面図である。
図１２は、図１１中の反射板を拡大して示す断面図である。
図１３は、この発明の実施の形態２に従った携帯電話機の斜視図であって、閉じた反射板を説明するための斜視図である。
図１４は、この発明の実施の形態２に従った携帯電話機の正面図であって、閉じた反射板を説明するための正面図である。
図１５は、図１４中のＸＶ−ＸＶ線に沿って見た断面図である。
図１６は、図１５中の反射板を拡大して示す断面図である。
図１７は、この発明の実施の形態２に従った携帯電話機の斜視図であって、第１の位置に位置決めされた反射板を説明するための斜視図である。
図１８は、この発明の実施の形態２に従った携帯電話機の正面図であって、第１の位置に位置決めされた反射板を説明するための正面図である。
図１９は、図１８中のＸＩＸ−ＸＩＸ線に沿って見た断面図である。
図２０は、図１９中の反射板を拡大して示す断面図である。
図２１は、この発明の実施の形態２に従った携帯電話機の斜視図であって、第２の位置に位置決めされた反射板を説明するための斜視図である。
図２２は、この発明の実施の形態２に従った携帯電話機の正面図であって、第２の位置に位置決めされた反射板を説明するための正面図である。
図２３は、図２２中のＸＸＩＩＩ−ＸＸＩＩＩ線に沿って見た断面図である。
図２４は、図２３中の反射板を拡大して示す断面図である。
図２５は、この発明の実施の形態３に従った携帯電話機の斜視図であって、閉じた反射板を説明するための斜視図である。
図２６は、この発明の実施の形態３に従った携帯電話機の正面図であって、閉じた反射板を説明するための正面図である。
図２７は、図２６中のＸＸＶＩＩ−ＸＸＶＩＩ線に沿って見た断面図である。
図２８は、図２７中の反射板を拡大して示す断面図である。
図２９は、この発明の実施の形態３に従った携帯電話機の斜視図であって、第１の位置に位置決めされた反射板を説明するための斜視図である。
図３０は、この発明の実施の形態３に従った携帯電話機の正面図であって、第１の位置に位置決めされた反射板を説明するための正面図である。
図３１は、図３０中のＸＸＸＩ−ＸＸＸＩ線に沿って見た断面図である。
図３２は、図３１中の反射板を拡大して示す断面図である。
図３３は、この発明の実施の形態３に従った携帯電話機の斜視図であって、第２の位置に位置決めされた反射板を説明するための斜視図である。
図３４は、この発明の実施の形態３に従った携帯電話機の正面図であって、第２の位置に位置決めされた反射板を説明するための正面図である。
図３５は、図３４中のＸＸＸＶ−ＸＸＸＶ線に沿って見た断面図である。
図３６は、図３５中の反射板を拡大して示す断面図である。
図３７は、この発明の実施の形態４に従った携帯電話機の斜視図であって、閉じた反射板を説明するための斜視図である。
図３８は、この発明の実施の形態４に従った携帯電話機の正面図であって、閉じた反射板を説明するための正面図である。
図３９は、図３８中のＸＸＸＩＸ−ＸＸＸＩＸ線に沿って見た断面図である。
図４０は、図３９中の反射板を拡大して示す断面図である。
図４１は、この発明の実施の形態４に従った携帯電話機の斜視図であって、第１の位置に位置決めされた反射板を説明するための斜視図である。
図４２は、この発明の実施の形態４に従った携帯電話機の正面図であって、第１の位置に位置決めされた反射板を説明するための正面図である。
図４３は、図４２中のＸＬＩＩＩ−ＸＬＩＩＩ線に沿って見た断面図である。
図４４は、図４３中の反射板を拡大して示す断面図である。
図４５は、この発明の実施の形態４に従った携帯電話機の斜視図であって、第２の位置に位置決めされた反射板を説明するための斜視図である。
図４６は、この発明の実施の形態４に従った携帯電話機の正面図であって、第２の位置に位置決めされた反射板を説明するための正面図である。
図４７は、図４６中のＸＬＶＩＩ−ＸＬＶＩＩ線に沿って見た断面図である。
図４８は、図４７中の反射板を拡大して示す断面図である。
図４９は、この発明の実施の形態５に従った携帯電話機の断面図であって、第２の位置に位置決めされた反射板を説明するための断面図である。
図５０は、従来の携帯型操作機器の斜視図である。
図５１は、従来の携帯型操作機器の斜視図である。
【図１】
2003013127.tif 000003
【図２】
2003013127.tif 000004
【図３】
2003013127.tif 000005
【図４】
2003013127.tif 000006
【図５】
2003013127.tif 000007
【図６】
2003013127.tif 000008
【図７】
2003013127.tif 000009
【図８】
2003013127.tif 000010
【図９】
2003013127.tif 000011
【図１０】
2003013127.tif 000012
【図１１】
2003013127.tif 000013
【図１２】
2003013127.tif 000014
【図１３】
2003013127.tif 000015
【図１４】
2003013127.tif 000016
【図１５】
2003013127.tif 000017
【図１６】
2003013127.tif 000018
【図１７】
2003013127.tif 000019
【図１８】
2003013127.tif 000020
【図１９】
2003013127.tif 000021
【図２０】
2003013127.tif 000022
【図２１】
2003013127.tif 000023
【図２２】
2003013127.tif 000024
【図２３】
2003013127.tif 000025
【図２４】
2003013127.tif 000026
【図２５】
2003013127.tif 000027
【図２６】
2003013127.tif 000028
【図２７】
2003013127.tif 000029
【図２８】
2003013127.tif 000030
【図２９】
2003013127.tif 000031
【図３０】
2003013127.tif 000032
【図３１】
2003013127.tif 000033
【図３２】
2003013127.tif 000034
【図３３】
2003013127.tif 000035
【図３４】
2003013127.tif 000036
【図３５】
2003013127.tif 000037
【図３６】
2003013127.tif 000038
【図３７】
2003013127.tif 000039
【図３８】
2003013127.tif 000040
【図３９】
2003013127.tif 000041
【図４０】
2003013127.tif 000042
【図４１】
2003013127.tif 000043
【図４２】
2003013127.tif 000044
【図４３】
2003013127.tif 000045
【図４４】
2003013127.tif 000046
【図４５】
2003013127.tif 000047
【図４６】
2003013127.tif 000048
【図４７】
2003013127.tif 000049
【図４８】
2003013127.tif 000050
【図４９】
2003013127.tif 000051
【図５０】
2003013127.tif 000052
【図５１】
2003013127.tif 000053
【国際調査報告】
2003013127.tif 000054
2003013127.tif 000055
2003013127.tif 000056